(57)【要約】      （修正有）【課題】バインダー式のノートを作成する作業の効率化を図る。【解決手段】用紙束を覆うための表紙部（１０）と、開閉可能なリング部を背部に沿って等間隔に設けた構造のリングバインダー（２０）と、複数の穿孔刃によって用紙を穿孔するパンチ（３０）と、そのパンチに係合可能な被係止部を等間隔に設けてなる位置決め用具（４０）と、によってノートシステム（１）を構成した。正確な間隔で綴じ孔を設けることができるので、任意の用紙をルーズリーフ用の用紙として利用することができる。【選択図】図１
2017019099.tif 000002
【特許請求の範囲】
【請求項１】
用紙束を覆うための表紙部（１０）と、
開閉可能なリング部（２１）を背部（２２）に沿って等間隔に設けて構成されたリングバインダー（２０）と、
複数の棒状の穿孔刃（３１）が夫々案内される案内路（３２）に対して直交方向にスリット（３３）を設けた基台（３４）に、該穿孔刃（３１）の刃先を下に向けて組み付けて構成され、該穿孔刃（３１）を押し下げることで前記スリット（３３）に挿入された用紙（３）に綴じ穴（４）を設けるパンチ（３０）と、
該パンチ（３０）の位置決め部（３６、３７）において位置合わせ可能な位置決め用具（４０）と、を含んで構成されたことを特徴とするノートシステム。
【請求項２】
前記位置決め用具（４０）は、用紙（３）が載置される載置台（４１）と、用紙（３）の一側辺を当接させて位置合わせを行う定規部材（４２）と、位置合わされた用紙（３）を固定する固定部材（４３）とを含んで構成され、
用紙（３）を載置台（４１）に固定した状態で、前記定規部材（４３）を回動させて前記用紙（３）の一側辺を露呈させた際に、前記固定部材（４３）に設けられた前記被係止部（４４）が用紙（３）の所定位置に表れるように、該固定部材（４３）が前記載置台（４１）に回動可能に取り付けられたことを特徴とする請求項１に記載のノートシステム。
【請求項３】
前記表紙部（１０）は、表裏に分離可能であり、一方の表紙部をもって前記載置台（４１）を構成したことを特徴とする請求項２に記載のノートシステム。
【請求項４】
前記位置決め部は、前記スリット挿入部に設けられた突起部（３６）であり、該突起部（３６）に係合可能な被係止部（４４）を等間隔に設けることで、前記位置決め用具（４０）が構成されたことを特徴とする請求項１〜請求項３の何れか1つ請求項に記載のノートシステム。
【請求項５】
前記表紙部（１０）に前記パンチ（３０）を保持するための保持部（６０）を設けたことを特徴とする請求項１〜請求項４の何れか1つの請求項に記載のノートシステム。
【請求項６】
前記表紙部（１０）に、封止可能な開口部を備えた容器部（７０）を設けたことを特徴とする請求項１〜請求項５の何れか1つの請求項に記載のノートシステム。
【請求項７】
前記表紙部（１０）に、一端に杆状部を有する杆状部材（７１）を挿入して保持することができる筒部（７２）を設けたこと特徴とする請求項1〜請求項６に記載のノートシステム。
【請求項８】
日付と曜日とを対応づけた状態で表示可能なカレンダー部（３ａ）を備えてなる用紙(３’)を含んで構成されたこと特徴とする請求項１〜請求項７の何れか1つの請求項に記載のノートシステム。
【請求項９】
コンピュータ装置を介して所定の罫線を用紙（３”）に印刷するためのプログラムを保持した記憶手段を含んで構成されたことを特徴とする請求項１〜請求項８の何れか1つの請求項に記載のノートシステム。
【請求項１０】
前記表紙部（２１０）に結束用のバンド（２１５）を取り付けたことを特徴とする請求項１〜請求項９の何れか1つの請求項に記載のノートシステム。
【請求項１１】
前記表紙部（３１０）に把手（３１６）を設けたことを特徴とする請求項１〜請求項１０の何れか1つの請求項に記載のノートシステム。
【発明の詳細な説明】
【技術分野】
【０００１】
本発明は、用紙を綴じて手帳や学習帳などのノートを作成するためのシステムに関し、特に、任意の用紙でバインダー式のノートを作成することができるノートシステムに関する。
【背景技術】
【０００２】
メモ帳や学習帳などに使用されるノートには、用紙を自由に綴じたり外したりすることができるように、バインダー式のものが各種提案されている。
例えば、特許文献１には、リングバインダーに綴じられるルーズリーフ用紙に、一側辺に、リング部材が挿通される複数の綴じ穴と、綴じ穴によって形成される綴じ穴列の両端部分に形成される切欠部とを設ける技術が開示されている。
【０００３】
切欠部は、サイズの小さい用紙をバインダーに綴じた際に、余った綴じ具に対応するような位置に設けられており、綴じ穴に挿通されない綴じ具が、用紙と平面上重ならないようにしている。
パンチは、用紙を配置させる基台と、基台を上下に貫通する打ち抜き孔と、基台上に回転可能に支持された操作部と、操作部の回動に追従して基台に形成された打ち抜き孔に挿通される穿孔部と、基台上に配置された突起とを備えた構造であり、先に穿孔されている綴じ穴を、基台上の突起に差し込むことで、位置合わせを行うようにしている。
【先行技術文献】
【特許文献】
【０００４】
【特許文献１】実用新案登録第３１８９１０１号公報
【発明の概要】
【発明が解決しようとする課題】
【０００５】
しかしながら、特許文献１のノートシステムでは、先に開けた綴じ穴を、突起に差し込みながら位置合わせを行うので、煩雑な作業となり、迅速に綴じ穴を設けることができない。
そこで、本発明は、迅速にルーズリーフ用の綴じ穴を作成することができ、バインダー式のノートを仕上げる作業を効率化できるノートシステムの提供を目的とする。
【課題を解決するための手段】
【０００６】
上記課題を解決するために、本発明に係るノートシステムを、用紙束を覆うための表紙部と、開閉可能なリング部を背部に沿って等間隔に設けて構成されたリングバインダーと、複数の棒状の穿孔刃が夫々案内される案内路に対して直交方向にスリットを設けた基台に該穿孔刃の刃先を下に向けて組み付けて構成されて該穿孔刃を押し下げることで前記スリットに挿入された用紙に綴じ穴を設けるパンチと、該パンチの位置決め部において位置合わせ可能な位置決め用具と、を含んで構成した。
【０００７】
前記位置決め用具は、用紙が載置される載置台と、用紙の一側辺を当接させて位置合わせを行う定規部材と、位置合わされた用紙を固定する固定部材とを含んで構成され、用紙を載置台に固定した状態で、前記定規部材を回動させて前記用紙の一側辺を露呈させた際に、前記固定部材に設けられた前記被係止部が用紙の所定位置に表れるように、該固定部材が前記載置台に回動可能に取り付けられたものであってもよい。
この場合、前記表紙部は、表裏に分離可能であり、一方の表紙部をもって前記載置台を構成してもよい。
【０００８】
また、前記位置決め部は、前記スリット挿入部に設けられた突起部であり、該突起部に係合可能な被係止部を等間隔に設けることで、前記位置決め用具を構成してもよい。
前記表紙部に前記パンチを保持するための保持部を設けてもよいし、封止可能な開口部を備えた容器部を設けてもよい。
また、前記表紙部に、一端に杆状部を有する杆状部材を挿入して保持することができる筒部を設けてもよい。
【０００９】
また、日付と曜日とを対応づけた状態で表示可能なカレンダー部を備えてなる用紙を含んで構成してもよい。
或いは、コンピュータ装置を介して所定の罫線を用紙に印刷するためのプログラムを保持した記憶手段を含んで構成されたものであってもよい。
前記表紙部に結束用のバンドを取り付けてもよいし、前記表紙部に把手を設けてもよい。
【発明の効果】
【００１０】
請求項１に係るノートシステムは、用紙束を覆うための表紙部と、リングバインダーと、複数の棒状の穿孔刃で用紙に綴じ穴を設けるパンチと、そのパンチの位置合わせ用具と、を含んで構成されたので、用紙の穿孔位置を迅速かつ正確に合わせることができ、任意の用紙にルーズリーフ用の綴じ穴を設けることができる。これによって、バインダー式のノートに仕上げる作業の効率化を図ることができる。
【００１１】
請求項２に係るノートシステムは、位置決め用具を、用紙が載置される載置台と、用紙の一側辺を当接させて位置合わせを行う定規部材と、位置合わされた用紙を固定する固定部材とを含んだ構成とし、用紙を載置台に固定した状態で、前記定規部材を回動させて前記用紙の一側辺を露呈させた際に、前記固定部材に設けられた前記被係止部が用紙の所定位置に表れるようにしたので、正確な位置に綴じ孔を設けることができる。
【００１２】
請求項３に係るノートシステムは、表紙部を以て位置決め用具の載置台を構成したので、パンチさえあれば、外出先でもルーズリーフ用の用紙を作成することができる。特に、表紙部を表裏に分離可能とし、一方の表紙部に、位置決め用具を取り付けるようにしたので、使用場面に応じてノートの形態を変えることが可能となる。
【００１３】
請求項４に係るノートシステムは、パンチの位置決め部を、スリット挿入部に設けられた突起部とし、その突起部に係合可能な被係止部を等間隔に設けることで位置決め用具を構成したので、正確に位置合わせを行うことができる。専用のルーズリーフ用紙を用いたのと遜色なく、任意の用紙で美しいバインダー式ノートを作成することができる。
請求項５に係るノートシステムは、表紙部においてパンチを保持できるようにしたので、パンチをノートと共に持ち歩くことができる。そのため、外出先で配布された資料をその場でファイリングすることができ、必要な情報をまとめたノートをその場で作成することができる。
【００１４】
請求項６に係るノートシステムは、表紙部に、封止可能な開口部を備えた容器部を設けたので、筆記具や小物類を容器部に収容した状態でノートと共に持ち歩くことが可能となる。
請求項７に係るノートシステムは、表紙部に筒部を設けたので、筆記具や鋏などの杆状部材を取り出し易い状態で保持することができる。
請求項８に係るノートシステムは、日付と曜日とを対応づけた状態で表示可能なカレンダー部を備えてなる用紙を含んだ構成としたので、手帳や日記帳としての機能を有するノートとすることができる。
【００１５】
請求項９に係るノートシステムは、白紙の用紙に所望の罫線を印刷することができるので、学習帳、手帳、日記帳、家計簿など、用途に応じた用紙を作成することが可能となり、自身のライフスタイルに応じたオリジナルのノートを作成することができる。
請求項１０に係るノートシステムは、表紙部にバンドを取り付けたので、ノートの頁がめくれるのを防止できる。また、バンドの端部を持てば、容易に持ち運べる。
請求項１１に係るノートシステムは、表紙部に把手を設けたので、持ち運びが容易である。
【図面の簡単な説明】
【００１６】
【図１】本発明の実施形態に係るノートシステムの正面図である。
【図２】上記ノートシステムによって作成されるノートを示す斜視図である。
【図３】上記ノートのリングバインダーを示す斜視図であり、（ａ）は使用前の状態、（ｂ）はリング部材を開放する状態を示す。
【図４】上記リングバインダーを示す斜視図であり、（ａ）はリング部材を閉じる前の状態、（ｂ）は閉じている状態、（ｃ）は閉じられた状態を示す。
【図５】上記ノートを作成する際に使用されるパンチと位置決め用具を示す斜視図である。
【図６】上記パンチを分解した状態を示す斜視図である。
【図７】上記位置決め用具の機能を示す説明図である。
【図８】上記ノートの表紙部の第１変形例を示す斜視図である。
【図９】上記表紙部の第２変形例を示す斜視図である。
【図１０】上記位置決め用具の変形例を示す正面図である。
【図１１】上記ノートシステムの第１変形例を示す正面図である。
【図１２】上記表紙部の第３変形例を示す斜視図である。
【図１３】上記ノートシステムの第２変形例を示す斜視図である。
【図１４】上記ノートシステムの第３変形例を示す斜視図である。
【発明を実施するための形態】
【００１７】
本発明の好適な実施形態について、添付図面に基づいて説明する。なお、実施形態は以下の形態に限定されるものではなく、本発明の課題を解決しうるものであれば他の態様も実施可能である。
【００１８】
図１は、本発明の実施形態に係るノートシステム１を示す斜視図である。
このノートシステム１は、図２に示すような学習帳として使用可能なノート２を作成するためのものであり、ノート用紙３の用紙束を覆うための表紙部１０と、リングバインダー２０と、リングバインダーを開閉する為のジッパー２５と、用紙に綴じ穴を設けるためのパンチ３０と、パンチと係合可能な位置決め用具４０と、をボックス５０に入れた状態で提供されるものである。
【００１９】
表紙部１０は、用紙３の束を覆うためのもので、表側の表紙部１１と裏側の表紙部１２とからなる。双方の表紙部１１，１２の一側辺には、複数の綴じ穴４が等間隔に設けられている。この綴じ穴４に、リングバインダー２０が取り付けられる。
リングバインダー２０は、開閉可能なリング２１を背部２２に沿って等間隔に設けて構成されている。夫々のリング２１は、図３に示すように、２つの半割れリング部２１ａ，２１ｂによって構成されており、それぞれのリング部の先端に相互に嵌合可能な嵌合部２３ａ，２３ｂを備えた構造である。
【００２０】
これらのリング部２１ａ、２１ｂは，ジッパー２５によって開閉可能となっている。このジッパー２５は、円錐台状の筒部材の周側面に縦方向の切り込み部２６を設けると共に、外周面に縦方向に延びる突条部２７を設けた構造である。上端開口部２８は、その外径が、リング部２１の内径よりも僅かに大きく、下端開口部２９は、その内径がリング部２１の外径よりも僅かに小さくなるように設計されている。
【００２１】
リング部２１を開放する際には、下端開口部２７からリング内に向けてジッパー２５を挿通させるが、この際、突条部２７を、夫々のリング嵌合部２３ａ，２３ｂに当接させながら通過させることで、相互の係合が外れ、リング部２１が開放される。リング部２１を閉じる際には、ジッパー２５の上端開口部２７に、開放状態のリング部２１を挿通させることで、ジッパー２５の内壁面に案内されて、双方の嵌合部２３ａ，２３ｂが嵌合される（図４を参照）。
【００２２】
パンチ３０は、図５に示すように、用紙に綴じ穴４を設けるためのものであり、図６に示すように、複数の棒状の穿孔刃３１が夫々案内される案内路３２に対して直交方向にスリット３３を設けた基台３４に、該穿孔刃３１の刃先を下に向けて組み付けて構成される。
即ち、このパンチ３０は、基台３４にハンドル３５を回動可能に設け、ハンドル３５の下側に設けられた多数の穿孔刃３１によって、基台３４のスリット３３に挿入された用紙３を打ち抜くように構成されている。
【００２３】
基台３４は、紙３が載置される面３４ａに本体部３４ｂを立設して構成される。本体部３４ｂには、夫々の穿孔刃３１が案内される案内路３２が設けられており、その案内路３２に直交するようにスリット３３が形成される。案内路３２とスリット３３とが交差する縁部３２ａが下刃となって、下降する穿孔刃３１との協働によって用紙３を穿孔する。
基台３４の前端部（即ち、用紙３が挿入される側）には、ハンドル軸３５ａを取り付けるための枢支部３４ｃが設けられている。
【００２４】
この枢止部３４に取り付けられるハンドル３５は、捩りコイルバネ３５ｂによって上方に向けて付勢されており、その操作部の下側に、穿孔刃３１を支持するための支持杆３１ａを取り付けている。
支持杆３１ａは、ハンドル軸３５ａと平行に配設されており、穿孔刃３１の上端部に設けられた貫通孔３１ｂにおいて、刃先３１ｃを下に向けた状態の棒状の穿孔刃３１が順次挿通された状態となっている。これによって、ハンドル３５を押し下げることでスリット３３に挿入された用紙３に複数の綴じ穴を同時に設けることが可能となる。
【００２５】
このパンチ３０の前方位置のスリット３０への挿入部には、位置決め用具４０との係合を可能とするための係合突起３６が設けられている。
位置決め用具４０は、用紙３の一側辺にルーズリーフ用の綴じ穴４が設けられるように、正確に位置合わせを行うための器具であり、用紙３が載置される載置台４１と、用紙３の一側辺を当接させて位置合わせを行う定規部材４２と、位置合わせされた用紙３を固定する固定部材４３とを含んで構成されている。
【００２６】
この固定部材４３と位置決め部材４２とは、載置台４１に設けられた枢止部４２ａ，４３ａに回動可能に取り付けられている。
即ち、位置決め用具４０は、図７に示すように、用紙３の側縁部を定規部材４２の当接部４２aに当接させた状態で、その用紙３を載置台４１に固定し、その後、定規部材４２を回動させて載置台４１の裏側に退避させることができるように構成されており、定規部材４２を退避させた際に、用紙３の一側辺が露呈されるように設計されている。
【００２７】
固定部材４３は、載置台４１の両端に回動可能に取り付けられる取付部４３ｂと、該取付部４３ｂに架設された固定部４３ｃとによって構成される。固定部４３ｃは、用紙３を固定するための部位であり、枢止部４３ｄを介して取付部４３ｂに対して回動可能に取り付けられている。
固定部４３ｃの内側の側縁には、パンチ３０のスリット挿入部に設けられた係止突起３６と係合可能な係止凹部４４が、パンチ３０のサイズに合わせて等間隔に設けられている（図５を参照）。そして、用紙３が位置決めされた状態で、Ａ４サイズ、Ｂ５サイズなどのサイズに応じた位置に綴じ穴が設けられるように、穿孔開始位置と終了位置を示すための表示が設けられている。
【００２８】
固定部４３の裏側には、用紙３を固定するためのマグネットが設けられると共に、弾性変形によって載置台４１の係合部４１ｅに係合される被係合部４３ｅが設けられている。これによって、用紙３が載置台４１に確実に固定されるようになっている。
上記構成のノートシステム１を使用してノートを作成する状態を以下に示す。
先ず、表裏の表紙部１１、１２をリングバインダー２０によって綴じ、冊子状に成型する。
【００２９】
この際、市販のルーズリーフ用紙と共に綴じることで、バインダー式のノートを作成することができるが、授業中に配布された資料など、綴じ穴の設けられていない用紙３をルーズリーフ用紙と共にノート化したい場合には、まず、パンチ３０と位置決め用具４０とを用いて、ルーズリーフ用の綴じ穴４を作成する。
その場合、図７に示すように、位置決め用具４０の固定部材４３を回動させて用紙３の挿入口を設け、そこに用紙３を差し込む。用紙３の側縁部を定規部材４２の当接部４２ａに当接させた状態で載置台４１に固定する。
その後、定規部材４２を載置台４１の裏側に退避させて、用紙３の一側辺を露呈させる。露呈された側辺に沿ってパンチ３０を移動させながら穿孔作業を行うが、この際、図５に示すように、固定部材４３の内側の側面部に設けられた係止凹部４４に、パンチ３０の係止突起３６が嵌り合う位置において穿孔操作を行う。
【００３０】
位置決め用具４０の係止凹部４４は、パンチ３０のサイズ（横幅）に合わせて等間隔に設けられているので、正確な位置に綴じ穴４を設けることができる。  
これによって、任意の用紙にルーズリーフ用の綴じ穴を迅速に設けることができ、バインダー式のノートに仕上げる作業を効率的に行うことができる。
なお、本実施形態において、一方の表紙部に、位置決め用具を取り付けてもよい。この場合、図８に示すルーズリーフノートのように、例えば裏側の表紙部１２’を、位置決め用具４０’の載置台として機能させてもよい。裏側表紙部１２’の開放側の側縁部には、用紙３の側縁を当接させるための当接部材４２’と、用紙３を固定するための固定部材４３’が回動可能に取り付けられる。表紙部１２’上に用紙３を固定した状態で、パンチ３０を操作することで、正確な位置に綴じ穴を設けることができる。
【００３１】
裏側表紙部１２’はリングバインダー２０から取り外すことができるので、荷物を重たくしたくない場合は、裏側の表紙部１２を取り外した状態のノートとして持ち歩けばよい。このように、用紙を綴じてノートを作成する場面、作成されたノートを持ち歩く場面など、使用場面に応じたノートの利用が可能となる。
また、一方の表紙部１１’にパンチを保持するためのパンチ保持部６０を設けてもよい。ノートと共にパンチ３０を持ち歩くことができるので、配布された資料をその場で綴じることができる。
【００３２】
或いは、表紙部（例えば表側の表紙部１１’）に、封止可能な開口部を備えた容器部７０を設けてもよい。容器部７０には、筆記具、消しゴム、小型鋏、ラインカッター、のり、接着テープ、ステープラなどの文房具類を収容しておくと便利である。
あるいは、鉛筆、万年筆、鋏、カッターなど、一端に杆状部を有する杆状部材７１を挿入して保持することができるように、筒状の保持部７２を設けてもよい（図９を参照）。
このように、容器部７０に筆記具や文房具などを収容することで、学習や創作などの知的活動に必要な道具を１つのノートにまとめた状態で、持ち歩くことができる。
表紙部１０は、表裏の表紙部１１、１２と背側の表紙部１３とを一体にした構成であってもよい。
【００３３】
この場合、背表紙部１３に、開閉可能なリング２１を等間隔に設けることで、リングバインダー２０を表紙部１０と一体にしてもよい。
また、図１０に示す位置決め用具４０”のように、係止凹部の代わりに目盛部４６を設けてもよい。２穴パンチ３０’などのように穿孔刃３１の間の広いパンチを使用して、ルーズリーフ用の綴じ穴４を設ける場合には、スリット挿入部に設けられた位置合わせ部３７を、目盛４５に合わせて等間隔にパンチを移動させることで、既に開設された綴じ穴４の間に新たな綴じ穴４を設けることができる。
【００３４】
或いは、特定の用紙３を含んだ構成としてもよい。例えば、図１１に示すノートシステム１００は、カレンダーとして使用可能な用紙３’を備えたものとした。この用紙３’には、日付と曜日が対応づけられた状態で表示されたカレンダー部３ａを設けられている。表紙部１１０を革素材によって構成すれば、手帳としてのノートを作成することができる。
手帳用の用紙３’は、用紙見本として含められた各種用紙の中から、所望のレイアウトの用紙をコピーして作成してもよいし、自身で印刷して作成してもよい。
この場合、各種レイアウトに印刷可能なプログラムが保持された記憶媒体をシステム内に含めてもよいし、インターネット上のサイトからプログラムをダウンロードできるようにしてもよい。
【００３５】
また、図１２に示すように、消耗品としての表紙部１０とリングバインダー２０をセット販売すれば、所望の用紙を備えたノートを自由に作成することが可能となる。
このように、所望のレイアウトのノート用紙を作成し、それに綴じ穴を設けてルーズリーフ用の用紙とすることができるので、学習帳、手帳、日記帳、家計簿など、用途に応じたノートを作成することが可能となる。様々なレイアウトの用紙と、所望の表紙部に組み合わせてノートを作成することができるので、自身のライフスタイルに合わせたオリジナルなノートが完成される。
【００３６】
上記実施形態のノートシステムでは、ボックス５０に入れた状態で提供するようにしたが、図１３に示すノートシステム２００のように、結束用のバンド２１５を含んで構成してもよい。この場合、表紙部２１０又はリングバインダー２２０に、結束用のバンド２１５を取り付けることもできる。これによって、ノートの頁が不用意にめくれるのを防止することができる。
或いは、図１４に示すノートシステム３００のように、表紙部３１０に把手３１６を設けてもよい。このようにすることで、持ち運びが容易になる。
【産業上の利用可能性】
【００３７】
本発明は、あらゆる産業分野において使用されるノートシステムとして利用することができる。  
【符号の説明】
【００３８】
１，１００，２００，３００…ノートシステム
２…ノート  
３…用紙  
４…綴じ穴  
１０…表紙部
１１…表表紙部
１２…裏表紙部
１３…背表紙部
２０…リングバインダー
２１…リング（リング部）
２２…背部
２３…嵌合部
２５…ジッパー
２６…切り込み部
２７…突条部
２８…上端開口部
２９…下端開口部
３０…パンチ
３１…穿孔刃
３２…案内路
３３…スリット
３４…基台
３５…ハンドル
３６…係止突起
４０…位置決め用具
４１…載置台
４２…定規部材
４３…固定部材
４４…係止凹部
５０…ボックス
６０…パンチ保持部
７０…容器部
７１…杆状部材
７２…筒部
２１５…バンド
３１６…把手
【図２】
2017019099.tif 000003
【図３】
2017019099.tif 000004
【図４】
2017019099.tif 000005
【図５】
2017019099.tif 000006
【図６】
2017019099.tif 000007
【図７】
2017019099.tif 000008
【図８】
2017019099.tif 000009
【図９】
2017019099.tif 000010
【図１０】
2017019099.tif 000011
【図１３】
2017019099.tif 000012
【図１４】
2017019099.tif 000013
【図１】
2017019099.tif 000014
【図１１】
2017019099.tif 000015
【図１２】
2017019099.tif 000016